(57)【特許請求の範囲】
【請求項１】
傾きのある屋根において，軒先からヒーターブロックを複数以上段階的に設置し，各々のヒーターブロック上に積雪を検知する光電スイッチをつけて，各光電スイッチの積雪検知と各ヒーターブロックの通電を連動するようにし，軒先のヒーターブロックを通電制御する電磁接触器のｂ接点を，軒先より次段目，次々段目のヒーターブロックを通電制御する電磁接触器に接続すると共に，軒先より次段目のヒーターブロックを通電制御する電磁接触器のｂ接点を，次々段目のヒーターブロックを通電制御する電磁接触器に接続し，各々のヒーターブロックが同時に通電しないようにインターロック回路を構築すると共に，積雪状況に合わせて，ヒーターブロックの通電を軒先から優先的に行うことを特徴とする屋根融雪装置。
【請求項２】
前記のヒーターブロック間隙の上に雪止めアングル等を設置し，ヒーターブロックを仕切ることを特徴とした請求項１記載の屋根融雪装置。
【発明の詳細な説明】
【技術分野】
【０００１】  本発明は，屋根融雪装置に関する。
【背景技術】
【０００２】  従来，融雪装置に付けられている雪を検知する降雪検知器や積雪検知器は，一つの融雪物件に一つの検知器しか付けられてない。つまり，傾きのある屋根では，積もった雪が落下重力で軒先に盛り上がってくるか，或いは，屋根の尾根部分が早く融けてしまうのにヒーターに通電されたままになるか，又，融雪ムラが出来るといったことが生じるのは，一つの検知器で融雪装置を稼動している為である。【０００３】  又，従来形の電気式屋根融雪装置は，ヒーターブロックが幾つかに分割されていても，一つの雪検知器で稼動させるため，合算したヒーター容量で主回路の漏電ブレーカー容量が決定されるので基本契約が大きくなり，電磁接触器などの開閉容量も大きくなる。雪がさほど降らない年なども合算した基本契約料金が必要になり，又，電力会社の必要設備容量も大きくなる。【０００４】  なお，本願発明に関連する公知技術として次の特許文献１を挙げることが出来る。【０００５】
【特許文献１】    特開２００８−１３８５０９号公報
【発明の開示】
【発明が解決しようとする課題】
【０００６】  上述の如く，従来の融雪装置では，一つの融雪物件に一つの雪検知装置しか付いていないため，傾きのある屋根では積もった雪が落下重力で軒先に盛り上がってくるか，屋根の尾根の部分が早く融け，雪がないのにヒーターに通電されるということがあり，融雪にムラやエネルギーの無駄が生じるというのが現状である。【０００７】  又，従来型の一つの雪検知装置では，ヒーターブロックが幾つかに分割されていても，全ヒーターを同時に通電させる必要がある為，主回路の漏電ブレーカー容量が大きく，当然，基本契約も大きくなり，加えて電磁接触器などの開閉容量も大きくなり，又，それは電力会社の必要設備容量が大きくなるのが現状である。【０００８】  本発明は，このような現状に鑑みて成されたものであり，その目的は，ヒーターブロック毎に融雪状況を検知する安価な光電スイッチを設置すると共に，ヒーターブロック毎の間隙に雪止めアングル等を付けて融雪面を仕切り，ヒーターブロック毎に融雪に関し独立性を持たせ，軒先部分から尾根の方向に順々に融雪をおこなう，つまり，各々のヒーターブロックが同時に通電することがないようにインターロック回路を設けて開閉器容量を分散させ，尚且つ，主回路の漏電ブレーカー容量を小さくして基本契約を下げ，自然融雪を利用しつつエネルギーを無駄なく使えるようにすることにある。
【課題を解決するための手段】
【０００９】  上記の目的を達成する本発明の循環エコ型屋根融雪装置は，傾きのある屋根に，軒先からヒーターブロックを段階的に設置し，各々のヒーター上に積雪を検知する光電スイッチを固定冶具につけ，積雪状況に合わせて各々のヒーターブロックの通電制御を行い，屋根の融雪を行うことを特徴とする。【００１０】  前記循環エコ型屋根融雪装置には，各々のヒーター間隙の上に雪止めアングル等を設置し，各々のヒーターブロックによる融雪に関して，独立性を持たせる，つまり，一箇所のヒーターブロックによる融雪を，雪止めアングル等で仕切ることにより，融雪効果に独立性を持たせることを特徴とする屋根融雪装置。【００１１】  又，本循環エコ型屋根融雪装置は，軒先部分の融雪を優先的に行うように回路を設計し，軒先部分の融雪が完了したことをそのヒーターブロック上の光電スイッチが検知して通電が停止した後，次段のヒーターブロックが通電するようにし，そのヒーターブロック上の光電スイッチが融雪完了を検知すれば通電が停止し，又，次段のヒーターブロックが通電するといった具合に，各々のヒーターブロックが同時に通電することがないようにインターロック回路を設け，各々のヒーターブロックを軒先から循環的に通電し融雪を行うようにしたことを特徴とする屋根融雪装置。
【発明の効果】
【００１２】  以上説明したように本発明によれば，傾きのある屋根に，軒先からヒーターブロックを段階的に設置し，各々のヒーターブロック上に積雪を検知する光電スイッチを固定冶具に付け，各々のヒーターブロック間隙の上に雪止めアングルなどを設置して融雪面を仕切ることにより，融雪効果に独立性を持たせ，軒先部分のヒーター通電を優先的に行うように回路を設計すると共に，各々のヒーターブロックが同時に通電しないようにインターロック回路を設け，軒先のヒーターブロックから循環的に通電するようにしたので，一つの融雪物件に一つの雪検知器しかついていない方式より，雪の落下重力によって軒先に雪が盛り上がったり，屋根の尾根部分が早く融けているのに通電されたままになるといった融雪ムラやエネルギーの無駄も無く，しかも，一つの雪検知器で稼動させる方式は，同時に全ヒーターブロックを通電するために，合算したヒーター容量で主回路の漏電ブレーカー容量が決定され基本契約が大きくなり，電磁接触器などの開閉容量も大きくなることがあるが，本循環エコ型屋根融雪装置ではそうしたことは無く，基本契約もヒーターブロックが２段であれば２分の１になり，３段であれば３分の１になるといった具合になる。又それは電力供給会社の必要設備容量を節約することが可能になり極めて有効である。
【発明を実施するための最良の形態】
【００１３】  以下，本発明の実施の形態を図面に基づき詳細に説明する。【００１４】  図１〜図２は本発明の第１の実施の形態に係わり，図１は屋根融雪設置断面図，図２はその電気回路図である。【００１５】  図１に示すように，斜線で示した各々のヒーターブロック１，２，３の上には雪を検知する光電スイッチ６，７，８が固定治具５に個別に設置されるが，当然のこととして瓦やトタンがヒーターブロック１，２，３のすぐ上に取り付けられる。【００１６】  図１に示すように，各々のヒーターブロック１，２，３の間隙の上に雪止めアングル４を取り付けて融雪面を仕切るようにする。【００１７】  図２に示すように，電源１４から漏電ブレーカー１５を介してそれぞれ電気が供給されるが，まず屋根に雪が積もりはじめると，光電スイッチ６が積雪を検知し，電磁接触器９が働き，電磁接触器９の接点１６が接続され，電磁接触器９のバック接点１２が開く。そうすると，ヒーターブロック１に電気が通電され融雪が始まる。そのときはヒーターブロック２，３を駆動する電磁接触器１０，１１は電磁接触器９のバック接点１２が開いているので働かない。当然，電磁接触器の接点１７，１８も接続されないためヒーターブロック２，３には電気は供給されない。尚，安全開閉器１９は手動開閉器である。【００１８】  次に，図２に示すように，ヒーターブロック１に通電が開始されると，当然そのヒーターブロック１の上の雪が融けるので，光電スイッチ６が働き電磁接触器９が停止し，電磁接触器９の接点１６が開きヒーターブロック１への電気の供給が停止する。そのとき当然電磁接触器９のバック接点１２が接続され電磁接触器１０が働く条件が整うようになる。【００１９】  次に図２に示すように，当然雪はヒーターブロック２の上にも積もっているので，光電スイッチ７が積雪を検知し，電磁接触器１０が働きその電磁接触器１０の接点１７が接続されると，ヒーターブロック２に電気が供給され融雪が始まりその上の雪が融ける。電磁接触器１０が働いているときは電磁接触器１０のバック接点１３は開いているので，電磁接触器１１は働かないのでヒーターブロック３には電気は供給されない。【００２０】  次に図２に示すように，ヒーターブロック２の雪が融けるとそれを光電スイッチ７が検知するので電磁接触器１０が停止し，電磁接触器１０の接点１７が開き，電磁接触器１０のバック接点１３が接続し電磁接触器１１が働く条件が出来る。【００２１】  次に図２に示すように，ヒーターブロック３の上の積雪を光電スイッチ８が検知し電磁接触器１１が働くと電磁接触器１１の接点１８が接続されヒーターブロック３に電気が供給され融雪が始まる。【００２２】  以上，本発明の実施の形態を説明したが，本発明の範囲はこれに限定されるものではない。例えば，時間当たりの降雪量が相当多い時は雪の滑りを分散させるため，雪止めアングル４の間に比較的小さい冨士形の雪止めを設置し雪の落下重力を分散させることも可能である。【００２３】  又，この循環エコ屋根融雪は，熱源が電気のみならず，ボイラーを熱源とするものにも適用できる。【００２４】  又，ヒーターブロック１，２，３のヒーターは，自己温度制御タイプのヒーターでも通常のニクロム線や銅クロムなどを使った絶縁被覆タイプのものでも熱源が十分とれるものを使用することも可能である。
【図面の簡単な説明】
【００２５】
【図１】  本発明の第１の実施の形態に係わる屋根融雪設置断面図である。
【図２】  図１の電気回路図である。
【符号の説明】
【００２６】１，２，３          ヒーターブロック
４                  雪止めアングル
５                  光電スイッチ固定治具
６，７，８          光電スイッチ
９                  電磁接触器（ヒーターブロック１用）
１０                電磁接触器（ヒーターブロック２用）
１１                電磁接触器（ヒーターブロック３用）
１２                電磁接触器９のバック接点
１３                電磁接触器１０のバック接点
１４                電源
１５                漏電ブレーカー
１６                電磁接触器９の接点
１７                電磁接触器１０の接点
１８                電磁接触器１１の接点
１９，２０，２１    安全開閉器（手動）
【図１】
0004695203.tif 000002
【図２】
0004695203.tif 000003